(57)【特許請求の範囲】
【請求項１】
移動体に搭載した狭域無線用通信機器がインフラ側アンテナによる所定の通信エリアに入った状態において当該狭域無線用通信機器に対しインフラ側アンテナを通して狭域通信による情報の配信を受けるにあたり、
当該狭域通信以外の通信のためのクライアント端末は前記情報の配信を受けるための通信制御を行うようにし、
前記狭域通信以外の通信のためのクライアント端末はネットワークへのアクセス権を持つ広域の移動通信用端末であり、該広域の移動通信用端末はネットワーク上のｗｅｂページにアクセスし、このｗｅｂページ上から前記情報の配信を受けるための通信制御を行うようにし、
前記ｗｅｂページへの広域の移動通信用端末によるアクセスは、狭域無線用通信機器がインフラ側アンテナによる所定の通信エリアに入ったときに狭域無線用通信機器に対応するｗｅｂページにインフラ側アンテナに固有のｗｅｂページアドレスが取り込まれ、広域の移動通信用端末により狭域無線用通信機器に対応するｗｅｂページにアクセスし、このページ中のインフラ側アンテナに対応するｗｅｂページにアクセスすることにより行うようにしたことを特徴とする移動体情報配信システム。
【請求項２】
請求項１に記載の移動体情報配信システムにおいて、
狭域無線用通信機器はカードリーダライタを含み、前記狭域無線用通信機器に固有のｗｅｂページアドレスが、カードリーダライタにて情報が読み書きされるカードに固有のものであることを特徴とする移動体情報配信システム。
【請求項３】
請求項１又は２に記載の移動体情報配信システムにおいて、
前記インフラ側アンテナに対応するｗｅｂページは、通信制御を行うためのメニュー画面を含んで登録されていることを特徴とする移動体情報配信システム。
【請求項４】
請求項１〜３のいずれか１項に記載の移動体情報配信システムにおいて、
狭域無線用通信機器がインフラ側アンテナによる所定の通信エリアに入ったときに、ｗｅｂページアドレス以外の情報もネットワーク上に送り、当該情報をｗｅｂページをアクセスした時に表示するようにしたことを特徴とする移動体情報配信システム。
【請求項５】
請求項１〜４のいずれか１項に記載の移動体情報配信システムにおいて、
配信が行われる情報は、音となる情報を含むことを特徴とする移動体情報配信システム。
【請求項６】
請求項１〜５のいずれか１項に記載の移動体情報配信システムにおいて、
移動体に搭載した狭域無線用通信機器として、情報を保管するメモリとオーディオ機器を具備することを特徴とする移動体情報配信システム。
【請求項７】
請求項６に記載の移動体情報配信システムにおいて、
メモリは、ＣＤチェンジャーの代わりとしてオーディオ機器に接続できる機能を持ち、オーディオ機器に対してメモリをＣＤチェンジャーの代わりに接続したことを特徴とする移動体情報配信システム。
【発明の詳細な説明】
【０００１】
【発明の属する技術分野】
この発明は移動体情報配信システムに係り、詳しくは、自動車等の移動体において音楽等の情報（コンテンツ）の配信を受けるシステムに関するものである。
【０００２】
【従来の技術】
音楽等の配信は、インターネットを介して家庭のＰＣ（パーソナルコンピュータ）でも受信可能となっている。さらに、車内への直接配信も可能となっており、これは、自動車に通信機器を搭載し、コンビニ店舗等に設置したインフラ側アンテナによる所定の通信エリアに車載側通信機器が入った状態において当該通信機器に対しインフラ側アンテナを通して情報の配信を受けるシステムである。
【０００３】
【発明が解決しようとする課題】
ところが、このような移動体情報配信システムにおける車載側通信機器に関して、当該システムのための機器の搭載はオプションであり、既存の車両に対し新たに情報配信を受けようとすると専用の高価な機器を取り付けることが必要となる。
【０００４】
そこで、この発明の目的は、簡素な移動体搭載機器にて情報の配信を受けることができる移動体情報配信システムを提供することにある。
【０００５】
【課題を解決するための手段】
請求項１に記載の発明によれば、狭域通信以外の通信のためのクライアント端末は情報の配信を受けるための通信制御を行うことにより、移動体での情報配信を受けるための機器として通信制御を行うための機器を不要にでき、簡素な移動体搭載機器にて情報の配信を受けることができることとなる。
【０００６】
より詳しくは、狭域通信以外の通信のためのクライアント端末はネットワークへのアクセス権を持つ広域の移動通信用端末であり、この広域の移動通信用端末はネットワーク上のｗｅｂページにアクセスし、このｗｅｂページ上から情報の配信を受けるための通信制御を行うようするとよい。ここで、ｗｅｂページへの広域の移動通信用端末によるアクセス方法として、狭域無線用通信機器がインフラ側アンテナによる所定の通信エリアに入ったときに狭域無線用通信機器に対応するｗｅｂページにインフラ側アンテナに固有のｗｅｂページアドレスが取り込まれ、広域の移動通信用端末により狭域無線用通信機器に対応するｗｅｂページにアクセスし、このページ中のインフラ側アンテナに対応するｗｅｂページにアクセスすることができる。
【０００７】
この際、請求項２に記載のように、狭域無線用通信機器はカードリーダライタを含み、狭域無線用通信機器に固有のｗｅｂページアドレスが、カードリーダライタにて情報が読み書きされるカードに固有のものとすると、カードを所有している人だけが情報配信を受けることができ、カード無しでは配信を受けられないことからセキュリティ上優れている。
【０００８】
また、請求項３に記載のように、前記インフラ側アンテナに対応するｗｅｂページは、通信制御を行うためのメニュー画面を含んで登録されているとすることができる。
【０００９】
また、請求項４に記載のように、狭域無線用通信機器がインフラ側アンテナによる所定の通信エリアに入ったときに、ｗｅｂページアドレス以外の情報もネットワーク上に送り、当該情報をｗｅｂページをアクセスした時に表示するようにすることもできる。
【００１３】
請求項５に記載のように、配信が行われる情報は、音となる情報を含むものとするとよい。
請求項６に記載のように、移動体に搭載した狭域無線用通信機器として、情報を保管するメモリとオーディオ機器を具備するものとすることができる。この場合、請求項７に記載のように、メモリは、ＣＤチェンジャーの代わりとしてオーディオ機器に接続できる機能を持ち、オーディオ機器に対してメモリをＣＤチェンジャーの代わりに接続すると、メモリはオーディオ機器から見てあたかもＣＤチェンジャーと同等に接続されたものとすることができる。
【００１４】
【発明の実施の形態】
（第１の実施の形態）
以下、この発明を具体化した第１の実施の形態を図面に従って説明する。
【００１５】
図１には、本実施形態における移動体情報配信システムの全体構成を示す。このシステムは車内において無線機１０１にて音楽等の情報の配信を受けて当該情報をメモリ１０２に記憶保持し、必要なときにオーディオプレーヤー１０３にて再生して利用するものである。
【００１６】
まず、概要について説明する。この場合、移動体として自動車を想定するとともに、狭域の無線通信としてＤＳＲＣ（Ｄedicated  Ｓhort  Ｒange  Ｃommunication）を想定している。
【００１７】
インフラ側（地上側）から車載機器側に情報配信を行う場合には、車載機器に次の機能が必要となる。
（１）．送受信をする無線機能
（２）．希望する情報のリストを見る表示機能
（３）．リストから配信を受けるものを選択する入力機能
（４）．配信情報を保管する機能
（５）．保管した配信情報のリストを見る表示機能
（６）．リストから再生するものを選択する入力機能
（７）．配信情報を再生する機能
この（１）〜（７）のうち一般的な車においては、ラジオ付きオーディオ機器が搭載されているだけである。これを前提に、最小限の車載機器の追加のみで情報配信を車の中で実現することがこのシステムを普及するために必要である。
【００１８】
前述の（１）の送受信をする無線機能は、新たに搭載せざるを得ない。
また、前述の（４）の配信情報を保管する機能、（５）の保管した配信情報のリストを見る表示機能、（６）のリストから再生するものを選択する入力機能、（７）の配信情報を再生する機能は、次の方法により追加のコストを低減することができる。
【００１９】
即ち、オーディオ機器は通常、ＣＤチェンジャーを追加するための接続端子が用意されており、この端子（図１での符号１０３ａ）を利用する。もし、オーディオ機器にＣＤチェンジャーを追加するための接続端子が用意されていない場合は、通常、ＣＤチェンジャーは音をＦＭ波に変換しオーディオ機器に送信し再生しており、この無線接続方法を利用する。即ち、図２に示すようにメモリ１０２にＦＭトランスミッタ１５０を接続し、ＦＭトランスミッタ１５０を用いてメモリ１０２の配信情報をＦＭ波にてオーディオプレーヤー１５１に送り再生する。なお、図２にはリモコンセット１５２，１５３を用いて情報の再生を行う場合を示している。一方、（４）の配信情報を保管する機能については、そのための機器１０２を擬似的にオーディオプレーヤー１０３から見てＣＤチェンジャーとみなす構造とし設置する。配信情報保管機器１０２の内部はＣＤを挿入するがごとく１０ディスク９９トラックのファイル構造とする。これにより、オーディオプレーヤー１０３がＣＤチェンジャーから曲を選択するように、（５）の保管した配信情報のリストを見る表示機能と、（６）のリストから再生するものを選択する入力機能を持たせることができる。
【００２０】
これに対して、前述の（２）の希望する情報のリストを見る表示機能と、（３）のリストから配信を受けるものを選択する入力機能については、特に表示機器が高価であることもあり、低コスト化のための良い方策が見当たらない。
【００２１】
ここまでの説明を図３，４を用いて具体的に記述する。
図３は、既存の技術を説明するためのＤＳＲＣでの情報配信イメージ図であり、ガソリンスタンド、コンビニエンスストア等の駐車場にＤＳＲＣアンテナ５００を設置し、移動体である車の通信機器５０１に情報配信を行うことができる。情報は情報配信センター５０２から送信される場合が多くこの情報が店舗サーバ５０３に保管される。そして、ＤＳＲＣアンテナ５００と車載通信機器５０１との間で情報配信サービスを受けるとともに支払い等が行われる。
【００２２】
図４は、比較のための移動体情報配信システムにおけるインフラ側と車載側のシステム構成図である。ＤＳＲＣによってインフラ側（地上側）アンテナ５００から車載機器５０１に情報配信を行うためには、車載機器５０１に前述の（１）〜（７）の機能が必要であり、図４の例では、無線機５０１ａ、車載メモリ５０１ｂ、オーディオＰＣ（ＰＣ；パーソナルコンピュータ）５０１ｃの３つの機器構成でこれらの機能を全て持つことができる。この場合には、オーディオＰＣ５０１ｃがタッチパネル式ディスプレイ等の多くの機能を持つが、この場合には非常に高価なものとなり、システムが普及する上での障害となってくる。
【００２３】
これらのことを考慮して、ＤＳＲＣによる車両への電子情報配信において、車載側機器を最小限にすべく、
・希望する情報のリストを見る表示機能
・リストから配信を受けるものを選択する入力機能
を、図１に示すごとく、汎用のシステムである携帯電話３００のインターネットホームページへのブラウザ機能を利用する。即ち、狭域通信以外の通信のためのクライアント端末としてネットワークへのアクセス権を持つ携帯電話３００を利用して情報の配信を受けるための通信制御を行う。具体的には、広域の移動通信用端末としての携帯電話３００によりネットワーク上のｗｅｂページ（インターネットのホームページ）にアクセスし、このｗｅｂページ上から情報の配信を受けるための通信制御を行う。
【００２４】
以下、図１に関して詳しく説明する。
図１において、自動車に搭載した狭域無線用通信機器１００として、無線機１０１とメモリ１０２とオーディオプレーヤー１０３を備えている。一方、コンビニエンスストアやガソリンスタンドやカーディラー等の店舗においてインフラ側アンテナ２００が設置され、インフラ側アンテナ２００は店舗サーバ２０１と接続されている。店舗サーバ２０１はインターネット２０３を介して情報配信センター２０４と接続されている。情報配信センター２０４には情報コンテンツとして、音楽やニュースや英会話や描画を用意しており、情報配信センター２０４の情報は店舗サーバ２０１にて保管され、車載通信機器１００に情報の配信が行われることになる。つまり、自動車に搭載した狭域無線用通信機器１００がインフラ側アンテナ２００による所定の通信エリアに入った状態において当該狭域無線用通信機器１００に対しインフラ側アンテナ２００を通して狭域通信による情報の配信を受ける。
【００２５】
一方、本実施形態では、図５に示すように、携帯電話３００のインターネットブラウザ機能を用いており、携帯電話３００を利用した情報配信システムを構築している。つまり、車内において乗員が所有する携帯電話３００を用いて携帯電話センター３０１を通すとともに、インターネット２０３を介して情報配信センター２０４と接続することができるようになっている。
【００２６】
この携帯電話３００を利用することにより、ＤＳＲＣによる車両への電子情報配信の際の車載機器を最小限にすることができる。即ち、
・配信対象の情報リストを見る表示機能
・メニューから選択する入力機能
を、汎用のシステムである携帯電話３００のインターネット（ホームページ）へのブラウザ機能を利用する。
【００２７】
このように、自動車に新たに表示機器および入力機器を搭載することはコスト高となるため、既に他の目的で所有し利用されている機器を利用することとし、具体的には、携帯電話３００における入力機能と表示機能を利用する。
【００２８】
以下、狭域無線用通信機器１００と携帯電話３００を用いた通信手順について説明する。
携帯電話３００はインターネットに接続でき、ブラウザ機能を有しホームページを閲覧できる機能を有するので、この機能を利用する。これにより、携帯電話と狭域通信機器との特別な通信手順を規定することなく簡便に情報配信を受けることができるようになる。携帯電話３００によりインターネット上のｗｅｂページ上から情報の配信を受けるための通信制御を行う際に、このｗｅｂページ（ホームページ）は、そのアドレスであるＵＲＬ（Ｕniform  Ｒesource Ｌocators ）が、本実施形態ではインフラ側アンテナ２００に固有のものとなっている。
【００２９】
図６は、インフラ側アンテナ２００に固有のＵＲＬのホームページを携帯電話３００の表示部３００ａで表示している状況を示し、ＹＹ石油ＺＺ店ＮＯ．２アンテナのホームページに接続した場合を示す。利用者はこの画面を見ながら配信を受けるものを選択でき、狭域の通信制御を行うことが可能となる。
【００３０】
また、車載側通信機器１００に対応するホームページも用意され、車載側通信機器１００に固有のＵＲＬを有する。
図７には、車載側通信機器１００のホームページ（ＵＲＬ）から、インフラ側アンテナ２００のホームページ（ＵＲＬ）へリンクした場合における携帯電話３００でのホームページの表示内容の変化を示す。この図７を用いて情報配信の際の利用者の操作内容を説明する。
【００３１】
通信制御を行うためのｗｅｂページは、そのアドレスがインフラ側アンテナ２００に固有のものであり、一方、通信エリア外で車載機器用のホームページを開くと図７の第１画面のようになる。そして、狭域無線用通信機器１００がインフラ側アンテナ２００の通信エリアに入ると、狭域無線用通信機器１００に固有のＵＲＬがインフラ側アンテナ２００に送られ、店舗サーバ２０１から情報配信センター２０４のサーバ（ＰＣ）に対し、狭域無線用通信機器１００に固有のＵＲＬとインフラ側アンテナ２００に固有のＵＲＬが送られる。情報配信センター２０４のサーバ（ＰＣ）は狭域無線用通信機器１００に対応するホームページにインフラ側アンテナ２００に固有のＵＲＬを設定する。よって、狭域無線用通信機器１００がインフラ側アンテナ２００の通信エリアに入った時に車載機器用のホームページを開けると、図７の第２画面のようになる。利用者はこの第２画面に表示されたＵＲＬをクリックして同ＵＲＬをアクセスする。つまり、携帯電話３００により車載機器用のホームページにアクセスしてこのページ中のインフラ側アンテナ用のホームページにアクセスする。これにより、図７の最終画面のように、インフラ側アンテナ用のホームページには配信対象の情報リストが表示され、利用者はメニューから選択する。
【００３２】
このように、ｗｅｂページへの携帯電話３００によるアクセスは、狭域無線用通信機器１００がインフラ側アンテナ２００による所定の通信エリアに入ったときに狭域無線用通信機器１００に対応するｗｅｂページにインフラ側アンテナ２００に固有のｗｅｂページアドレスが取り込まれ、携帯電話３００により狭域無線用通信機器１００に対応するｗｅｂページにアクセスし、このページ中のインフラ側アンテナ２００に対応するｗｅｂページにアクセスすることにより行われる。
【００３３】
また、配信が行われる情報は、音楽、ニュース等の音となる情報を含む。つまり、このシステムを利用するのに、音楽配信の場合に特に効果を発揮する。なぜなら、画像等の配信に比べ再生時の表示機器の搭載は必須ではなく、配信の場合に必要な表示機能を携帯電話３００に頼ることにより、車載での表示機器の搭載が不要になるからである。
【００３４】
さらに、図１のごとく、車載側通信機器１００として、情報を保管するメモリ１０２とオーディオ機器１０３を具備しており、メモリ１０２は、ＣＤチェンジャーの代わりとしてオーディオ機器１０３に接続できる機能を持ち、オーディオ機器１０３に対してメモリ１０２をＣＤチェンジャーの代わりに接続した。よって、メモリ１０２はオーディオ機器１０３から見てあたかもＣＤチェンジャーと同等に接続されることになり、これにより、車載機器の簡素化が図られる。
【００３５】
このように、本実施の形態は下記の特徴を有する。
（イ）狭域通信による情報の配信を受けるにあたり、狭域通信以外の通信のためのクライアント端末（インターネットへのアクセス権を持つ携帯電話）３００を利用して情報の配信を受けるための通信制御を行うようにした。つまり、図４の比較例においては、無線機５０１ａに前述の（１）の無線機能を、車載メモリ５０１ｂに（４）の情報保管機能を、オーディオＰＣ５０１ｃに（２），（５）の表示機能と（３），（６）の入力機能と（７）の再生機能を持たせたが、図１の本実施形態においては、無線機１０１に（１）の無線機能を、車載メモリ１０２に（４）の情報保管機能を、オーディオプレーヤー１０３に（７）の再生機能を持たせ、（２），（５）の表示機能と（３），（６）の入力機能を携帯電話３００に持たせた。その結果、移動体での情報配信を受けるための車載側機器１００として、通信制御を行うための機器を不要にでき、簡素な移動体搭載機器１００にて情報の配信を受けることができる。
（第２の実施の形態）
次に、第２の実施の形態を、第１の実施の形態との相違点を中心に説明する。
【００３６】
第１の実施の形態においては、通信制御を行うためのホームページのアドレスであるＵＲＬ（Ｕniform  Ｒesource Ｌocators ）が、インフラ側アンテナ２００に固有のものであったのに対し、本実施の形態においては、アドレス（ＵＲＬ）が車載側通信機器１００に固有のものとなっている。
【００３７】
図８には、携帯電話３００の表示部３００ａでの表示例を示す。図８は予め入力してある特定のＵＲＬのリストを示すものであり、携帯電話３００から車載側通信機器１００の固有のＵＲＬで発信できるように、携帯電話３００のアドレス登録機能（いわゆるブックマーク）を用いて事前登録しておく。このように、予め接続するホームページのＵＲＬを入力しておくと、便利である。
【００３８】
図９には車載側通信機器１００のホームページの内容（表示）の変化を示す。この図９を用いて情報配信の際の利用者の操作内容を説明する。
車載通信機器１００がインフラ側アンテナ２００の通信エリア外にいる時においては、通信機器用のホームページで通信制御できない状態になっている。詳しくは、情報配信センター２０４のサーバ（ＰＣ）は、ホームページにアクセスできない状況にすることもできるが、ここでは、ホームページでの通信制御するためのメニュー画面を表示できない状態にしている。よって、図９の左画面に示すように通信機器用のホームページを開くと「現在あなたの無線機は通信継続していません」と表示される。そして、車載通信機器１００がインフラ側アンテナ２００の通信エリアに入ると、通信機器用のホームページのＵＲＬがインフラ側アンテナ２００に送られ、店舗サーバ２０１から情報配信センター２０４のサーバ（ＰＣ）に対し、通信機器用のホームページのＵＲＬとインフラ側アンテナ用のホームページのＵＲＬが送られる。情報配信センター２０４のサーバ（ＰＣ）は通信機器用のホームページで通信制御できる状態にする。よって、車載通信機器１００がインフラ側アンテナ２００の通信エリアに入った状態で通信機器用のホームページを開くと図９の右画面に示すように、メニュー画面が表示される。つまり、利用者は携帯電話３００により狭域無線用通信機器１００に対応するホームページにアクセスして配信対象の情報リストを見てメニューから選択する。さらに、車載側通信機器１００がインフラ側アンテナ２００の通信エリアから離れると、狭域無線用通信機器１００に対応するホームページ（ｗｅｂページ）で通信制御できない状態に戻される。
【００３９】
このように、ホームページ（ｗｅｂページ）への携帯電話３００（広域の移動通信用端末）によるアクセスは、狭域無線用通信機器１００がインフラ側アンテナ２００による所定の通信エリアに入ったときに狭域無線用通信機器１００に対応するホームページ（ｗｅｂページ）で通信制御できる状態にされ、携帯電話３００により狭域無線用通信機器１００に対応するホームページにアクセスすることにより行われる。
【００４０】
また、狭域無線用通信機器１００に固有のｗｅｂページは、図９の左画面のように、通信制御を行うためのメニュー画面を含まずに登録されており、情報の配信を受ける際に、図９の右画面のように、通信制御を行うためのメニュー画面を含むものとなる。つまり、サーバ側では、図９の左画面に対し図９の右画面のようにインフラ側アンテナ２００と車載通信機器１００との通信を制御する画面をＵＲＬの下に貼り付ける。そして、車載通信機器１００がインフラ側アンテナ２００の通信エリアから出ると、車載通信機器に固有のＵＲＬの下に貼り付けてあったインフラ側アンテナ２００と車載通信機器１００との通信を制御する画面が消失する。
【００４１】
ここで、図１において、狭域無線用通信機器１００の無線機１０１にはカードリーダライタが備えられ、狭域無線用通信機器１００に固有のＵＲＬ（ｗｅｂページアドレス）が、カードリーダライタ（１０１）にて情報が読み書きされるＩＣカード１０４に固有のものとしてもよい。つまり、車載側無線機１０１にカード所有者識別機能を持たせ、所定のＩＣカード１０４がカードリーダライタ（１０１）に差し込まれると、通信制御のためのホームページにアクセスできるようにする。このようにすると、ＩＣカード１０４を所有している人だけが情報配信を受けることができ、カード無しでは配信を受けられないことからセキュリティ上優れている。
【００４２】
また、図１０に示すようにしてもよい。図１０には、車両側情報のホームページ画面への反映を示す。つまり、車載機器１００からインフラ側アンテナ２００に対し車載機器１００に固有のＵＲＬ以外の情報も送信し、この情報を先のホームページ画面に反映するようにしてもよい。例えば、図１０の右画面のように、現在のメモリの空きエリアの状況（空きファイル名）等を選択画面に表示することで、選択の際の利便性を高めることができる。即ち、狭域無線用通信機器１００がインフラ側アンテナ２００による所定の通信エリアに入ったときに、ＵＲＬ（ｗｅｂページアドレス）以外の情報もネットワーク上に送り、当該情報をホームページ（ｗｅｂページ）をアクセスした時に表示する。
（第３の実施の形態）
次に、第３の実施の形態を、第１の実施の形態との相違点を中心に説明する。
【００４３】
本実施形態においては、狭域通信以外の通信のためのクライアント端末として携帯電話（広域の移動通信用端末）を用い、かつ、双方向の音声会話により、情報の配信を受けるための指示を行う。具体的には、携帯電話で店舗に電話をかけ、声でコンテンツの注文を行う。本実施形態の場合にはインターネットへのアクセス権を持った携帯電話でなくてもよい。
（第４の実施の形態）
次に、第４の実施の形態を、第１の実施の形態との相違点を中心に説明する。
【００４４】
本実施形態においては、通信制御を行うためのホームページ（ネットワーク上のｗｅｂページ）として、図１の情報配信センター２０４のホームページを用いている。
【００４５】
狭域通信以外の通信のためのクライアント端末として、ネットワークへのアクセス権を持つ携帯電話３００（広域の移動通信用端末）を用いる。そして、この携帯電話３００により、通信制御を行う際の指示内容をコード化したコード表を有するホームページ（ｗｅｂページ）にアクセスし、このコード表から選択したコードを狭域無線用通信機器１００に入力して通信制御を行う。即ち、図１の車載機器１０１，１０２，１０３の少なくともいずれかに入力用キーを用意しておき、これを用いてコード入力を行う。
【００４６】
図１１には、情報配信センター２０４のホームページにおけるメニュー画面を示す。狭域無線用通信機器１００がインフラ側アンテナ２００の通信エリアに入ったときに、図１１の第１画面を表示し、利用者により画面リストからその一つを選択して第２画面以降でより詳しい選択を指定していく。図１１の場合はテンキーを用いて桁数が大きくなるにつれて音楽（楽曲）が絞られていくことを表している。
（第５の実施の形態）
次に、第５の実施の形態を、第１の実施の形態との相違点を中心に説明する。
【００４７】
本実施形態においては、携帯電話は用いずに、情報の配信を受けるための通信制御内容を示す印刷物を移動体の乗員に配布し、乗員はこの印刷物を用いて狭域無線用通信機器１００に指示内容を入力して情報の配信を受けるための通信制御を行う。より具体的には、インフラ側アンテナ２００と通信制御をするコード表を有する印刷物を移動体の所持者に配布し、所持者は狭域の通信制御を、このコード表から選択したコードを車載側通信機器１００に備えられたテンキー等の入力装置を用いてデータ入力する。
（第６の実施の形態）
次に、第６の実施の形態を、第５の実施の形態との相違点を中心に説明する。
【００４８】
店舗におけるインフラ側アンテナ２００の近くにディスプレイを設置し、ディスプレイの画面にて移動体の乗員に対し情報の配信を受けるための通信制御内容を表示できるようになっている。そして、狭域無線用通信機器１００がインフラ側アンテナ２００による通信エリアに入ると、店舗側ディスプレイを用いて情報の配信を受けるための通信制御内容を示す表示を移動体の乗員に行う。乗員はこの表示から狭域無線用通信機器１００に指示内容を入力して情報の配信を受けるための通信制御を行う。
【００４９】
これまでの説明においては、移動体として自動車を、狭域の無線通信としてＤＳＲＣを用いたが、自動車の他にも電車や船舶や航空機に適用したり、ＤＳＲＣの他にもＢｌｕｅｔｏｏｔｈ、ワイヤレスＬＡＮ等を用いてもよい。また、携帯電話の他にもＰＨＳやＰＤＳ（Ｐarsonal Ｄegital  Ａssistant）を用いてもよい。
【００５０】
また、ＵＲＬそのものではなく、ＵＲＬに対応するコードを用いてもよい。
【図面の簡単な説明】
【図１】  実施形態における移動体情報配信システムの全体構成図。
【図２】  車載通信機器の別例を説明するための構成図。
【図３】  既存の技術を説明するためのＤＳＲＣでの情報配信イメージ図。
【図４】  比較のための移動体情報配信システムにおけるインフラ側と車載側のシステム構成図。
【図５】  携帯電話システムを示す図。
【図６】  携帯電話での表示内容を示す図。
【図７】  携帯電話でのホームページの表示内容の変化を示す図。
【図８】  携帯電話の表示例を示す図。
【図９】  携帯電話でのホームページ表示の変化を示す図。
【図１０】  携帯電話でのホームページ表示を示す図。
【図１１】  携帯電話でのホームページ表示を示す図。
【符号の説明】
１００…狭域無線用通信機器、１０１…無線機、１０２…メモリ、１０３…オーディオプレーヤー、１０４…ＩＣカード、２００…インフラ側アンテナ、２０１…店舗サーバ、２０３…インターネット、２０４…情報配信センター、３００…携帯電話、３０１…携帯電話センター。
【図１】
0003873604.tif 000002
【図２】
0003873604.tif 000003
【図３】
0003873604.tif 000004
【図４】
0003873604.tif 000005
【図５】
0003873604.tif 000006
【図６】
0003873604.tif 000007
【図７】
0003873604.tif 000008
【図８】
0003873604.tif 000009
【図９】
0003873604.tif 000010
【図１０】
0003873604.tif 000011
【図１１】
0003873604.tif 000012